【手続補正書】
【提出日】平成23年10月7日(2011.10.7)
【手続補正１】
【補正対象書類名】明細書
【補正対象項目名】０００７
【補正方法】変更
【補正の内容】
【０００７】
図１Ｃを参照すると、CO2捕捉システム70（図１Ａ）の捕捉システム72が一般的に表わされている。このシステムでは、捕捉システム72は、溶媒系CO2捕捉システムである。さらに詳しくは、この例では、使用される溶媒はチルドアンモニアである。CO2除去のためのチルドアンモニア（CPA）系システム／方法では、吸収剤のイオン性アンモニア溶液（イオン性アンモニア溶液）が、CO2を含有する煙道ガスストリーム（FG）と接触される吸収器が設けられている。イオン性溶液は代表的には水性であり、例えば、水及びアンモニウムイオン、炭酸水素イオン、炭酸イオン及び／又はカルバミン酸イオンを含有してなる。公知のCAP CO2除去システムの例が、図１Ｃに一般的に表わされている。
【手続補正２】
【補正対象書類名】明細書
【補正対象項目名】０００８
【補正方法】変更
【補正の内容】
【０００８】
図１Cを参照すると、吸収器110は、例えば、化石燃料燃焼式ボイラー26（図１Ａ参照）の燃焼チャンバーから発生される煙道ガスストリーム（FG）を受け取るように設定されている。また、再生システム74（図１Ｂ参照）からの希薄イオン性アンモニア溶液の供給を受けるように設定されている。希薄イオン性アンモニア溶液は、液分配システム121を介して吸収器110に導入され、その間に、煙道ガスストリームFGも、煙道ガス入口76を介して吸収器110によって受け入れられる。
【手続補正３】
【補正対象書類名】明細書
【補正対象項目名】０００９
【補正方法】変更
【補正の内容】
【０００９】
イオン性アンモニア溶液は、ガス−液接触装置（以下、「物質移動装置（MTD）」と表示することがある）111（煙道ガスストリームを溶媒と接触させるために使用され、吸収器110内であって、煙道ガスストリームが、入口76を介する導入から容器の出口77まで移動する通路内に設置されている）を介して煙道ガスストリームと接触される。ガス−液接触装置111は、例えば、１以上の周知のように構成された又はランダムの充填剤又はこれらの組み合わせである。
【手続補正４】
【補正対象書類名】明細書
【補正対象項目名】００１０
【補正方法】変更
【補正の内容】
【００１０】
煙道ガスストリームと接触すると、イオン性アンモニア溶液は煙道ガスストリームからCO2を吸収するように作用し、このようにして、CO2を富有するイオン性アンモニア溶液（リッチ溶液）を生成する。リッチイオン性アンモニア溶液は、物質移動装置内を通って、流下を続け、ついで、吸収器110の底部78において集められる。ついで、リッチイオン性アンモニア溶液は、再生システム74（図１Ｂ参照）を介して再生され、イオン性アンモニア溶液によって煙道ガスストリームから吸収されたCO2を放出する。イオン性アンモニア溶液から放出されたCO2は、ついで、貯蔵又は他の所定の用途／目的のために出力される。CO2がイオン性アンモニア溶液から放出されると、イオン性アンモニア溶液は、「希薄」になったと称される。ついで、希薄イオン性アンモニア溶液は煙道ガスストリームからCO2を吸収するために準備され、液分配システム121に戻され、これによって、吸収器110に再導入される。システム74は再生器130、液分配システム139、及び充填剤135を含む。再生器130は、捕捉システム72からのリッチ溶液の供給を受け取り、CO2がリッチ溶液から分離された後に、希薄溶液を捕捉システム72に戻すように設定されている。システム70は、捕捉システム72に新鮮な溶媒を添加するための新鮮な溶媒の供給195を含むこともできる。
【手続補正５】
【補正対象書類名】明細書
【補正対象項目名】００１７
【補正方法】変更
【補正の内容】
【００１７】
【図１Ａ−１Ｃ】CO2除去機能を備えた代表的な煙道ガス処理システム15を一般的に示す図である。
【図２Ａ−２Ｃ】充填剤の壁／表面上に触媒が不動化されている充填剤物質315の例を一般的に示す図である。
【図３】吸収器110及び再生器330に、それぞれ、触媒で被覆された充填剤物質315及び335が充填されているアミン系又はアンモニア系CO2捕捉システム300の関連する部分を一般的に示す図である。
【図４Ａ】触媒425が溶媒供給195（図４Ａ）に添加されるか、又は、溶媒供給フィードに直接添加されるアミン系又はアンモニア系CO2捕捉システム300の関連する部分を一般的に示す図である。
【図４Ｂ】触媒425が溶媒供給フィードに直接添加されるアミン系又はアンモニア系CO2捕捉システム300の関連する部分を一般的に示す図である。
【手続補正６】
【補正対象書類名】明細書
【補正対象項目名】００２５
【補正方法】変更
【補正の内容】
【００２５】
触媒425が、吸収塔110及び再生塔330の両方の中にある充填剤315、335の上に被覆／不動化／層状化されている煙道ガス処理システム15において、吸収塔110及び再生塔330の両方において使用される触媒425は、同一の触媒又は異なる触媒である。捕捉及び再生の両方に関連して、必ずしも、同じ触媒を使用する必要はない。
【手続補正７】
【補正対象書類名】明細書
【補正対象項目名】００２６
【補正方法】変更
【補正の内容】
【００２６】
触媒425を、例えば、100−1000 m2/gのような高BET表面積をもつ固状物質320（図２）上に、例えば、湿式含浸法を介して分散／層状化／被覆し、続いて、例えば、吸収塔110及び／又は再生塔／ストリッパー330内に配置された充填剤315及び／又は335の上に被覆／不動化する。これは、例えば、公知のウォッシュコーティング技術（例えば、工業用触媒調製法において使用されているような方法）を介して達成される。これらの固状物質は充填剤又はその一部を構成するように使用される。
【手続補正８】
【補正対象書類名】特許請求の範囲
【補正対象項目名】全文
【補正方法】変更
【補正の内容】
【特許請求の範囲】
【請求項１】
二酸化炭素を含有する混合ガスストリームを受け取り及び溶媒を受け取り、前記混合ガスストリームと前記溶媒との間と接触を触媒の存在下で行い、前記溶媒による前記混合ガスストリームからの二酸化炭素の捕捉を促進して、二酸化炭素リッチ溶媒を生成するように設定された吸収塔を含んでなる、煙道ガス処理システム。
【請求項２】
触媒が均一系触媒である、請求項１記載のシステム。
【請求項３】
触媒が不均一系触媒である、請求項１記載のシステム。
【請求項４】
溶媒がアミン系である、請求項１記載のシステム。
【請求項５】
触媒が、溶媒による煙道ガスストリームからの二酸化炭素の捕捉を促進する、請求項１記載のシステム。
【請求項６】
溶媒が、混合ガスストリームと接触する前に冷却された二酸化炭素希薄溶媒である、請求項１記載のシステム。
【請求項７】
さらに、二酸化炭素リッチ溶媒を受け取り、触媒と接触させて、カーボメーションを促進し、二酸化炭素希薄溶媒を生成する設定された再生塔を含んでなる、請求項１記載のシステム。
【請求項８】
二酸化炭素リッチ溶媒を、再生塔の触媒と接触させる前に加熱する、請求項１記載のシステム。
【請求項９】
再生塔の触媒及び再生塔の触媒が同一又は異なる触媒である、請求項１記載のシステム。
【請求項１０】
混合ガスストリームから二酸化炭素を除去する方法であって、二酸化炭素を含有する混合ガスを、溶媒を受け取り、触媒の存在下で、溶媒を混合ガスストリームと接触させて、溶媒による混合ガスストリームからの二酸化炭素の捕捉を促進し、二酸化炭素リッチ溶媒を生成するように設定された吸収塔を通過させることを含んでなる、二酸化炭素の除去法。
【請求項１１】
触媒が均一系触媒である、請求項１０記載の方法。
【請求項１２】
触媒が不均一系触媒である、請求項１０記載の方法。
【請求項１３】
溶媒がアミン又はアンモニア系である、請求項１０記載の方法。
【請求項１４】
吸収塔が、混合ガス及び溶媒の間の接触を延長させるように設定される、請求項１０記載の方法。
【請求項１５】
溶媒を、混合ガスとの接触前に冷却する、請求項１０記載の方法。
【請求項１６】
溶媒が二酸化炭素希薄溶媒である、請求項１０記載の方法。
【請求項１７】
さらに、二酸化炭素リッチ溶媒を受け取り、触媒と接触させて、二酸化炭素リッチ溶媒のカーボメーションを促進し、二酸化炭素希薄溶媒を生成するように設定された再生塔を含んでなる、請求項１０記載の方法。
【請求項１８】
二酸化炭素リッチ溶媒を、再生塔の前で又は再生塔内で加熱する、請求項１７記載の方法。
【請求項１９】
二酸化炭素希薄溶媒を吸収塔に循環する、請求項１７記載の方法。
【請求項２０】
再生塔の触媒が、吸収塔の触媒と同一又は異なるものである、請求項１７記載の方法。
【手続補正９】
【補正対象書類名】図面
【補正対象項目名】図４Ａ
【補正方法】変更
【補正の内容】
【図４Ａ】
2011515210.tif 000001
【手続補正１０】
【補正対象書類名】図面
【補正対象項目名】図４Ｂ
【補正方法】変更
【補正の内容】
【図４Ｂ】
2011515210.tif 000002